(57)【特許請求の範囲】
【請求項１】
車両の荷台に設置された電源と、前記車両の荷台に設けられ前記電源からの電力を調整してポンプへ供給して駆動させる電気機器が収納された電気盤とを有するポンプ車において、
前記電気盤は、筐体内に各種の電気機器が収納される電気機器収納部が設けられた電気盤であって、
前記筐体内には、前記電気機器収納部に隣接するように、各種の機材を収納可能な機材収納空間部が形成され、
該機材収納空間部と前記電気機器収納部とを区画する区画壁には、前記機材収納空間部と前記電気機器収納部とを連通させる吸気口及び排気口が形成され、
前記機材収納空間部側の前記吸気口及び排気口の両方もしくはいずれか一方には、前記機材収納空間部内の空気を前記電気機器収納部内へ引き込むとともに前記電気機器収納部内の空気を前記機材収納空間部へ排気させる送風手段が設けられていることを特徴とするポンプ車。
【請求項２】
前記機材収納空間部は、前記電気機器収納部の側方に設けられ、前記吸気口は前記区画壁の下方側に形成され、前記排気口は前記区画壁の上方側に形成されていることを特徴とする請求項１記載のポンプ車。
【請求項３】
前記送風手段は、前記排気口に設けられていることを特徴とする請求項１または請求項２記載のポンプ車。
【請求項４】
前記機材収納空間部は、仕切板によって、少なくとも前記吸気口と連通する吸気側空間部と、前記排気口と連通する排気側空間部とに分割され、前記筐体には、前記吸気側空間部と外部とを連通させる吸気窓と、前記排気側空間部と外部とを連通させる排気窓とが形成されていることを特徴とする請求項１〜３のいずれか１項記載のポンプ車。
【請求項５】
前記電気機器が前記区画壁に固定されていることを特徴とする請求項１〜４のいずれか１項記載のポンプ車。
【発明の詳細な説明】
【０００１】
【発明の属する技術分野】
本発明は、ポンプなどの各種駆動装置を備えた車両に搭載され、駆動装置を駆動させるために発電機からの電力を調整して供給する電気機器が収納された電気盤を備えたポンプ車に関するものである。
【０００２】
【従来の技術】
従来より、例えば、排水ポンプ、消火ポンプ、送水ポンプ等の各種ポンプなどの駆動装置を備えた車両には、その駆動装置を駆動させるために発電機からの電力を調整して供給する電気機器が収納された電気盤が搭載されている。
この種の電気盤を搭載した車両として、洪水時等において、その浸水現場の水を排水させる排水ポンプ車を例にとって説明する。
【０００３】
図１０において、符号１は、電気盤であり、この電気盤１は、後述する排水ポンプＰが収納された収納箱２とともに車両３の荷台４上に搭載されている。また、この車両３の荷台４には、電源として発電機５も搭載されており、この発電機５からの電力が電気盤１内のトランスやインバータ等の電気機器によってコントロールされて排水ポンプＰへ供給され、駆動させるようになっている。
なお、発電機５の代わりにバッテリー等の他の電源を用いる場合もある。
そして、上記の電気盤１を有する排水ポンプ車では、図１１に示すように、浸水現場にて、まず、収納箱２内の排水ポンプＰを引き出し、この排水ポンプＰを浸水場所へ設置する。また、必要に応じて、作業現場を照明すべく、収納箱２内に収納された図示しないライトを取り出して設置する。
この状態にて、電気盤１によって排水ポンプＰを駆動させる。また、ライトの点灯を行う。
【０００４】
このようにすると、発電機５等の電源からの電力が電気盤１内のトランスやインバータを介して排水ポンプＰやライトへ供給され、ホース６を介して排水ポンプＰによって浸水場所から水が汲み上げられる。
【０００５】
ところで、トランスやインバータ等の各種電気機器が内蔵された電気盤１では、その内部の電気機器を冷却させるために、筐体１ａの下方側に吸気口７、上方側に排気口８をそれぞれ設け、電動ファンによって吸気口７から空気を取り入れ、排気口８から排気させることにより、内部に設置された発熱体である各種電気機器を冷却させていた。
【０００６】
【発明が解決しようとする課題】
ところで、排水ポンプ車は勿論のこと、屋外で使用され、しかも、雨天での使用が多いポンプ車の電気盤１にあっては、水分に弱い電気機器が設置されているので、雨水の浸入に対して十分に防水対策を施す必要がある。
このため、冷却のために空気を取り入れる吸気口７は勿論のこと、排気口８からの雨水の降り込みも確実に防ぐため、これら吸気口７、排気口８にフィルタを設置したり、雨水が降りこまないような形状に形成したり、各種の専用の防水対策を施さなければならず、電気盤１の大型化や重量増加を招き、結果的にコストアップを招いてしまっていた。
【０００７】
この発明は、上記事情に鑑みてなされたもので、大型化、大重量化を招くことなく低コストにて、内部の電気機器を良好に冷却することが可能な電気盤を備えたポンプ車を提供することを目的としている。
【０００８】
【課題を解決するための手段】
上記目的を達成するために、請求項１記載のポンプ車は、車両の荷台に設置された電源と、前記車両の荷台に設けられ前記電源からの電力を調整してポンプへ供給して駆動させる電気機器が収納された電気盤とを有するポンプ車において、前記電気盤は、筐体内に各種の電気機器が収納される電気機器収納部が設けられた電気盤であって、前記筐体内には、前記電気機器収納部に隣接するように、各種の機材を収納可能な機材収納空間部が形成され、該機材収納空間部と前記電気機器収納部とを区画する区画壁には、前記機材収納空間部と前記電気機器収納部とを連通させる吸気口及び排気口が形成され、前記機材収納空間部側の前記吸気口及び排気口の両方もしくはいずれか一方には、前記機材収納空間部内の空気を前記電気機器収納部内へ引き込むとともに前記電気機器収納部内の空気を前記機材収納空間部へ排気させる送風手段が設けられていることを特徴としている。
【０００９】
つまり、電気機器収納部内の電気機器を冷却する空気を、電気機器収納部に隣接する機材収納空間部から引き込み、その後、機材収納空間部へ送り出す構造であるので、冷却用の空気を外部から電気機器収納部へ直接取り入れて外部へ排気させる場合と比較して、特別な防水構造を施すことなく、雨水などの水滴の電気機器収納部への侵入なく、電気機器収納部内の電気機器の冷却を行うことができる。
これにより、特別な防水構造を施すことによる大型化や重量増加を抑え、コストの低減を図ることができる。
また、外部の空気を電気機器収納部へ直接取り入れる構造と比較して、粉塵等の浸入も確実に防ぐことができ、粉塵による電気機器への悪影響をなくすことができる。
更に、機材収納空間部は、単に、各種の機材を収納させておくだけの空間部分であるので、特に、電気盤の不使用時において、その空間部内に各種の機材を収納させて、そのスペースの有効利用を図ることができる。
また、このように、水の汲み上げや放水を行うポンプへの電力の調整を行う電気盤が、特別な防水構造を施すことなく、電気機器収納部内の各種の電気機器の冷却を良好に行うことができ、しかも小型、軽量かつ低コスト化されているので、発電機等の電源とともに電気盤が荷台に搭載される車両の小型化も図ることができ、設備費の低減を図ることができる。
【００１０】
請求項２記載のポンプ車は、請求項１記載のポンプ車において、前記機材収納空間部が、前記電気機器収納部の側方に設けられ、前記吸気口は前記区画壁の下方側に形成され、前記排気口は前記区画壁の上方側に形成されていることを特徴としている。
【００１１】
このように、下方から取り入れた空気を上方から排気させることができるので、電気機器収納部内の電気機器の冷却を、熱の流れに沿って良好に行うことができる。
【００１２】
請求項３記載のポンプ車は、請求項１または請求項２記載のポンプ車において、前記送風手段が、前記排気口に設けられていることを特徴としている。
【００１３】
すなわち、上方の排気口に設けた送風手段によって電気機器収納部内の空気を機材収納空間部へ吸い出すことにより、電気機器収納部内の空気を確実に吸い出して排気させ、吸気口から電気機器収納部内へ吸い込ませて電気機器を冷却させることができる。
【００１４】
請求項４記載のポンプ車は、請求項１〜３のいずれか１項記載のポンプ車において、前記機材収納空間部が、仕切板によって、少なくとも前記吸気口と連通する吸気側空間部と、前記排気口と連通する排気側空間部とに分割され、前記筐体には、前記吸気側空間部と外部とを連通させる吸気窓と、前記排気側空間部と外部とを連通させる排気窓とが形成されていることを特徴としている。
【００１５】
つまり、外部の空気を吸気窓から吸気側空間部を介して電気機器収納部内へ取り入れ、その後、電気機器収納部内の空気を排気側空間部を介して排気窓から外部へ排気させるので、吸気窓に特別な防水構造を施さなくても、吸気窓から入り込む雨水等の水滴を吸気側空間部にて確実に除去して電気機器収納部内へ外気を導くことができる。
【００１８】
請求項５記載のポンプ車は、請求項１〜４のいずれか１項記載のポンプ車において、前記電気機器が前記区画壁に固定されていることを特徴としている。
【００１９】
つまり、区画壁に固定された電気機器の熱を区画壁を介して筐体全体へ逃がすことができ、これにより、特に、熱の影響を受けやすいインバータ等の電気機器に好適である。
【００２２】
【発明の実施の形態】
以下、本発明の実施形態例の電気盤を備えたポンプ車を図面を参照して説明する。
図１において、符号１１は、本実施形態例の電気盤であり、この電気盤１１は、車両１２の荷台１３上に設置されている。
また、この車両１２には、その荷台１３の後方側に、電源として発電機１４が設置されている。
電気盤１１には、その正面側における下端部分に、複数のコネクタ１５が設けられており、これらコネクタ１５には、発電機１４、アース棒１７、排水ポンプＰ及びライト１８が、ケーブル１９を介して接続されるようになっている。
【００２３】
次に、車両１２の荷台１３上に設置された電気盤１１の具体的な構成及び構造について図２から図７によって説明する。
図に示すように、この電気盤１１は、この電気盤１１を構成する筐体１１ａの正面に、開閉可能な扉２１が設けられており、これら扉２１の一方には、コネクタ１５に接続した排水ポンプＰ、ライト１８の駆動のＯＮ・ＯＦＦや制御を行うべく操作される操作パネル２２と、これら排水ポンプＰやライト１８などの駆動状態等を表示させる表示パネル２３が設けられている。
【００２４】
そして、この電気盤１１は、扉２１によって開閉される側が電気機器収納部２４とされており、この電気機器収納部２４内に、各種の電気機器が収納されている。
また、この電気盤１１には、その裏面、開閉可能な扉３１が設けられており、これら扉３１によって開閉される側が機材収納空間部３２とされている。
そして、この電気盤１１の電気機器収納部２４と機材収納空間部３２とが、区画壁３３によって区画されている。
【００２５】
電気機器収納部２４内には、その下方にトランス４１が設けられ、また、中央部分には、区画壁３３に治具等により密着固定されたインバータ４２が設けられている。
また、区画壁３３には、その下方側及び上方側に、それぞれ吸気口４３、排気口４４が設けられており、排気口４４には、電気機器収納部２４側に、電動ファン（送風手段）４５が設けられている。
【００２６】
機材収納空間部３２は、水平方向に配設された複数の棚部（仕切板）５１によって上下に複数の収納空間部５２に分割されており、下段の収納空間部５２に、吸気口４３が連通され、上段の収納空間部５２に、排気口４４が連通されている。
ここで、この機材収納空間部３２には、下段の収納空間部５２に、排水ポンプＰ及びケーブル１９が収納され、中段の収納空間部５２に、排水ポンプＰに接続するホース６が収納され、上段の収納空間部５２に、ライト１８及びケーブル１９が収納されている。
そして、下段の収納空間部５２が吸気側空間部５２ａとされ、上段の収納空間部５２が排気側空間部５２ｂとされている。
【００２７】
また、この機材収納空間部３２を開閉させる扉３１の一方には、その下方に吸気窓５３が、上方に排気窓５４がそれぞれ形成されている。そして、吸気窓５３は、吸気側空間部５２ａと連通され、排気窓５４は、排気側空間部５２ｂと連通されている。
【００２８】
次に、上記構造の電気盤１を備えた排水ポンプ車によって浸水場所における排水作業を行う場合について説明する。
まず、車両１２の荷台１３に設置された電気盤１１の裏面側の扉３１を開き、機材収納空間部３２を開口させる。
次いで、この機材収納空間部３２のそれぞれの収納空間部５２内に収納された排水ポンプＰ、ライト１８、ケーブル１９及びホース６等の機材を取り出し、排水ポンプＰ、ライト１８のケーブル１９を電気盤１１のコネクタ１５に接続する。そして、これら排水ポンプＰ、ライト１８ケーブル１９及びホース６等の機材を取り出したら、扉３１を閉じて機材収納空間部３２を閉めておく。
【００２９】
また、ホース６を排水ポンプＰに接続し、その端部を排水側の河川等に配設するとともに、排水ポンプＰを浸水場所へ設置する。
また、発電機１４等の電源からの電力供給用のケーブル１９も、電気盤１１の電力入力用のコネクタ１５に接続しておく。
【００３０】
この状態にて、電気盤１１の正面に設けられた操作パネル２２にて、排水ポンプＰを駆動させるとともに、必要に応じてライト１８を点灯させる。
このようにすると、排水ポンプＰから吸い上げられた浸水場所の水が、ホース６を通して、河川等の排水場所へ送り出され、浸水場所の排水が行われる。
【００３１】
ここで、このように、電気盤１１によって各種の機材を駆動させると、この電気盤１１の機材収納空間部３２とを区画している区画壁３３の上部の排気口４４に設けられた電動ファン４５が駆動される。
【００３２】
これにより、図８に示すように、機材収納空間部３２側の扉３１の下方側に設けられた吸気窓５３から吸気側空間部５２ａへ外気が吸気され、その後、この吸気された外気は、区画壁３３の下方側に設けられた吸気口４３から電気機器収納部２４内に導かれ、さらに、この電気機器収納部２４を、その下方から上方へ向かって流された後、電動ファン４５によって排気口４４から機材収納空間部３２の排気側空間部５２ｂへ送り出され、この排気側空間部５２ｂと連通している扉３１に形成された排気窓５４から外部へ排気される。
【００３３】
これにより、電気機器収納部２４では、下方の吸気口４３から吸い込まれて上方の排気口４４から送り出される空気によって、その内部における底部に配設されたトランス４１や区画壁３３に固定されたインバータ４２等の発熱を生じる電気機器が冷却される。
また、このとき、吸気口４３から吸い込まれる冷却空気は、機材収納空間部３２の吸気側空間部５２ａを介して十分に流速が低減されて、含まれる水滴が十分に除去された状態にて、電気機器収納部２４へ送り込まれる。
【００３４】
このように、上記実施形態例の電気盤１１によれば、吸気口４３から吸い込まれる冷却空気は、機材収納空間部３２の吸気側空間部５２ａを介して十分に流速が低減されて、含まれる水滴が十分に除去された状態にて、電気機器収納部２４へ送り込まれるので、冷却空気中に含まれる水滴による電気機器への影響をなくすことができ、さらには、電気機器収納部２４内への粉塵の侵入も抑えられ、電気機器への悪影響をなくすことができる。
【００３５】
また、機材収納空間部３２の各収納空間部５２は、単に、各種の機材を収納させておくだけの空間部分であるので、吸気窓５３や排気窓５４から、多少雨水が降り込んでも問題がなく、したがって、電気機器収納部２４へ冷却空気を取り入れる吸気口４３、吸気窓５４及び電気機器収納部２４から排気させる排気口４４、排気窓５４に特別な防水構造を施す必要をなくすことができる。
【００３６】
つまり、冷却用の空気を外部から電気機器収納部２４へ直接取り入れて外部へ排気させる場合と比較して、雨水などの水滴の電気機器収納部２４内への侵入なく、電気機器収納部２４内のトランス４１やインバータ４２などの電気機器の冷却を行うことができ、特別な防水構造を施すことによる大型化や重量増加を抑え、コストの低減を図ることができる。
【００３７】
また、下方から取り入れた空気を上方から排気させるので、電気機器収納部２４内の電気機器の冷却を、熱の流れに沿って良好に行うことができる。
しかも、上方の排気口４４に設けた電動ファン４５によって電気機器収納部２４内の空気を機材収納空間部３２へ吸い出すことにより、電気機器収納部２４内の空気を確実に吸い出して排気させ、吸気口４３から電気機器収納部２４内へ吸い込ませて電気機器を冷却させることができる。
【００３８】
また、電気機器収納部２４との間にて吸気、排気が行われる空間部が、排水ポンプＰ、ライト１８、ケーブル１９やホース６等の各種の機材を収納させる機材収納空間部であるので、特に、電気盤１１の不使用時において、内部に各種の機材を収納させて、そのスペースの有効利用を図ることができる。
さらには、区画壁３３に固定された電気機器の熱を区画壁３３を介して筐体１１ａ全体へ逃がすことができ、これにより、特に、熱の影響を受けやすいインバータ４２等の電気機器に好適である。
【００３９】
そして、上記の電気盤１１を備えた排水ポンプ車によれば、水の汲み上げを行う排水ポンプＰへの電力の調整を行う電気盤１１が、特別な防水構造を施すことなく、電気機器収納部２４内の各種の電気機器の冷却を良好に行うことができ、しかも、小型、軽量かつ低コスト化されているので、発電機１４とともに電気盤１１が荷台１３に搭載される車両１２の小型化も図ることができ、設備費の低減を図ることができる。
【００４０】
なお、上記の例では、電気機器収納部２４と機材収納空間部３２とを横方向に併設して一体化した構造としたが、これら電気機器収納部２４と機材収納空間部３２とを上下方向に併設して一体化しても良い。この場合は、下方側を機材収納空間部３２とし、この下方側の機材収納空間部３２から収納空間部３２内に空気を取り入れて上方側の電気機器収納部２４へ導くようにし、その後、この電気機器収納部２４から下方側の機材収納空間部３２の他の収納空間部を介して外部へ排気させるようにすれば良い。
【００４１】
また、上記実施形態例では、機材収納空間部３２を開閉させる扉３１に、吸気窓５３及び排気窓５４を設け、外部から空気を導入し、電気機器収納部２４内の電気機器の冷却後に外部へ排気させる構造としたが、図９に示すように、これら吸気窓５３及び排気窓５４をなくすとともに、機材収納空間部３２の棚部５１に切欠や孔を形成して、各段の収納空間部５２同士を連通させた構造とし、電気機器収納部２４の排気口４４から排気された空気を、機材収納空間部３２の下方へ導き、吸気口４３から電気機器収納部２４内へ再び送り込むように、空気を循環させて電気機器収納部２４内の電気機器を冷却させるようにしても良い。
【００４２】
このようにすると、外気中に含まれている粉塵の電気機器収納部２４内への侵入を、さらに確実に防止することができ、粉塵による電気機器への悪影響をなくすことができる。
【００４３】
なお、上記の例では、電気盤１１を車両１２の荷台１３に搭載させた排水ポンプ車について説明したが、この電気盤１１は、排水ポンプ車に限らず、各種の機材を駆動させる電気盤１１を要する、例えば、消火ポンプ車、送水ポンプ車等にも適応することができるのは勿論である。
また、上記の例では、車両１２上に、電源として発電機１４を搭載させて、この発電機１４からの電力を電気盤１１へ供給したが、電気盤１１へ電力を送る電源としては、発電機に限定されることはない。
【００４４】
【発明の効果】
以上、説明したように、本発明の電気盤を備えたポンプ車によれば、下記の効果を得ることができる。
請求項１記載のポンプ車によれば、電気機器収納部内の電気機器を冷却する空気を、電気機器収納部に隣接する機材収納空間部から引き込み、その後、機材収納空間部へ送り出す構造であるので、冷却用の空気を外部から電気機器収納部へ直接取り入れて外部へ排気させる場合と比較して、特別な防水構造を施すことなく、雨水などの水滴の電気機器収納部への侵入なく、電気機器収納部内の電気機器の冷却を行うことができる。
これにより、特別な防水構造を施すことによる大型化や重量増加を抑え、コストの低減を図ることができる。
また、外部の空気を電気機器収納部へ直接取り入れる構造と比較して、粉塵等の浸入も確実に防ぐことができ、粉塵による電気機器への悪影響をなくすことができる。
更に、機材収納空間部は、単に、各種の機材を収納させておくだけの空間部分であるので、特に、電気盤の不使用時において、その空間部内に各種の機材を収納させて、そのスペースの有効利用を図ることができる。
また、水の汲み上げや放水を行うポンプへの電力の調整を行う電気盤が、特別な防水構造を施すことなく、電気機器収納部内の各種の電気機器の冷却を良好に行うことができ、しかも小型、軽量かつ低コスト化されているので、発電機等の電源とともに電気盤が荷台に搭載される車両の小型化も図ることができ、設備費の低減を図ることができる。
【００４５】
請求項２記載のポンプ車によれば、下方から取り入れた空気を上方から排気させることができるので、電気機器収納部内の電気機器の冷却を、熱の流れに沿って良好に行うことができる。
【００４６】
請求項３記載のポンプ車によれば、上方の排気口に設けた送風手段によって電気機器収納部内の空気を機材収納空間部へ吸い出すことにより、電気機器収納部内の空気を確実に吸い出して排気させ、吸気口から電気機器収納部内へ吸い込ませて電気機器を冷却させることができる。
【００４７】
請求項４記載のポンプ車によれば、外部の空気を吸気窓から吸気側空間部を介して電気機器収納部内へ取り入れ、その後、電気機器収納部内の空気を排気側空間部を介して排気窓から外部へ排気させるので、吸気窓に特別な防水構造を施さなくても、吸気窓から入り込む雨水等の水滴を吸気側空間部にて確実に除去して電気機器収納部内へ外気を導くことができる。
【００４９】
請求項５記載のポンプ車によれば、区画壁に固定された電気機器の熱を区画壁を介して筐体全体へ逃がすことができ、これにより、特に、熱の影響を受けやすいインバータ等の電気機器に好適である。
【図面の簡単な説明】
【図１】本発明の実施形態例の電気盤が搭載された排水ポンプ車の側面図である。
【図２】本発明の実施形態例の電気盤の構成及び構造を説明する電気盤の正面図である。
【図３】本発明の実施形態例の電気盤の電気機器収納部の構造を説明する電気盤の断面図である。
【図４】本発明の実施形態例の電気盤の構成及び構造を説明する電気盤の裏面図である。
【図５】本発明の実施形態例の電気盤の機材収納空間部の構造を説明する電気盤の断面図である。
【図６】本発明の実施形態例の電気盤の構成及び構造を説明する電気盤の横断面図である。
【図７】本発明の実施形態例の電気盤の構成及び構造を説明する電気盤の縦断面図である。
【図８】本発明の実施形態例の電気盤における空気の流れを説明する電気盤の縦断面図である。
【図９】本発明の他の実施形態例の電気盤における空気の流れを説明する電気盤の縦断面図である。
【図１０】従来の電気盤を搭載した排水ポンプ車の構成及び構造を説明する排水ポンプ車の斜視図である。
【図１１】排水ポンプ車による排水作業を説明する排水現場の斜視図である。
【符号の説明】
１１  電気盤
１１ａ  筐体
１２  車両
１３  荷台
１４  発電機
２４  電気機器収納部
３２  機材収納空間部
３３  区画壁
４１  トランス（電気機器）
４２  インバータ（電気機器）
４３  吸気口
４４  排気口
４５  電動ファン（送風手段）
５１  棚部（仕切板）
５２ａ  吸気側空間部
５２ｂ  排気側空間部
５３  吸気窓
５４  排気窓
Ｐ  排水ポンプ（ポンプ）
【図１】
0003564436.tif 000002
【図２】
0003564436.tif 000003
【図３】
0003564436.tif 000004
【図４】
0003564436.tif 000005
【図５】
0003564436.tif 000006
【図６】
0003564436.tif 000007
【図７】
0003564436.tif 000008
【図８】
0003564436.tif 000009
【図９】
0003564436.tif 000010
【図１０】
0003564436.tif 000011
【図１１】
0003564436.tif 000012